(57)【要約】【課題】風車のバリエーションの増加に簡単に対応すること。【解決手段】回転体１２には羽根部材１５がねじ止めされている。この構成の場合、羽根部材１５の組付個数，組付位置を変えるだけで、形状が異なる複数種の風車１７が構成される。このため、風車１７の形状が変更される毎に成形型を新設する必要がなくなるので、風車１７のバリエーションの増加に簡単に対応できる。しかも、羽根部材１５とは形状が異なる羽根部材を形成しておけば、両者を選択的に使用したり、混用したりできるので、風車１７のバリエーションが大幅に増加する。【選択図】図１
2008207040.tif 000002
【特許請求の範囲】
【請求項１】
遊技盤の盤面に対して略同一面上に位置するように遊技盤に回転可能に装着されるものであって、凸部を圧入することが可能な複数の孔を有する回転体と、
前記回転体の複数の孔のそれぞれに圧入される凸部を有するものであって、前記回転体の孔に当該凸部が圧入されることに基づいて前記回転体に取付けられる羽根部材を備え、
前記複数の孔は、前記回転体に１個の羽根部材と２個の羽根部材と３個の羽根部材と４個の羽根部材のそれぞれを取付けることを可能にするために、前記回転体の外周側部分に円形状に円周方向に等ピッチで配列され、
前記羽根部材は、前記回転体の孔に取付けられることに基づいて当該孔の円周方向に隣接する両孔のそれぞれを前記羽根部材が取付けられないように前方から覆うものであることを特徴とするパチンコ機の風車。
【請求項２】
遊技盤の盤面に対して略同一面上に位置するように遊技盤に回転可能に装着されるものであって、ねじを挿入することが可能な複数のねじ挿入孔を有する回転体と、
前記ねじが螺合される筒部を有するものであって、当該筒部に前記ねじが螺合されることに基づいて前記回転体に取付けられる羽根部材を備え、
前記複数のねじ挿入孔は、前記回転体に１個の羽根部材と２個の羽根部材と３個の羽根部材と４個の羽根部材のそれぞれを取付けることを可能にするために、前記回転体の外周側部分に円形状に円周方向に等ピッチで配列され、
前記羽根部材は、前記ねじ挿入孔に取付けられることに基づいて当該ねじ挿入孔の円周方向に隣接する両ねじ挿入孔のそれぞれを前記羽根部材が取付けられないように前方から覆うものであって、形状が相互に異なる複数種のものが混用されることを特徴とするパチンコ機の風車。
【請求項３】
遊技盤の盤面に対して略同一面上に位置するように遊技盤に回転可能に装着されるものであって、凸部を圧入することが可能な複数の孔を有する回転体と、
前記回転体の複数の孔のそれぞれに圧入される凸部を有するものであって、前記回転体の孔に当該凸部が圧入されることに基づいて前記回転体に取付けられる羽根部材を備え、
前記複数の孔は、前記回転体に１個の羽根部材と２個の羽根部材と３個の羽根部材と４個の羽根部材のそれぞれを取付けることを可能にするために、前記回転体の外周側部分に円形状に円周方向に等ピッチで配列され、
前記羽根部材は、前記回転体の孔に取付けられることに基づいて当該孔の円周方向に隣接する両孔のそれぞれを前記羽根部材が取付けられないように前方から覆うものであって、形状が相互に異なる複数種のものが混用されることを特徴とするパチンコ機の風車。
【発明の詳細な説明】
【技術分野】
【０００１】
本発明は、遊技盤に回転可能に装着されるパチンコ機の風車に関する。
【背景技術】
【０００２】
パチンコ機の風車は、パチンコ球の落下方向および落下速度に変化を与えるためのものであり、複数の羽根部材を合成樹脂により一体成形することから構成されていた。
【特許文献１】実公昭４９−４５１８０号公報
【特許文献２】特開平８−１７３５９８号公報
【発明の開示】
【発明が解決しようとする課題】
【０００３】
このため、風車の形状を変更しようとすると、成形型を新設し、風車そのものを新たに形成する必要があったので、風車の形状の変更に簡単に対応できず、風車のバリエーションに限界があった。
【０００４】
本発明は上記事情に鑑みてなされたものであり、その目的は、バリエーションの増加に簡単に対応できるパチンコ機の風車を提供することである。
【課題を解決するための手段】
【０００５】
請求項１記載のパチンコ機の風車は、遊技盤の盤面に対して略同一面上に位置するように遊技盤に回転可能に装着されるものであって凸部を圧入することが可能な複数の孔を有する回転体と、前記回転体の複数の孔のそれぞれに圧入される凸部を有するものであって前記回転体の孔に当該凸部が圧入されることに基づいて前記回転体に取付けられる羽根部材を備え、前記複数の孔は前記回転体に１個の羽根部材と２個の羽根部材と３個の羽根部材と４個の羽根部材のそれぞれを取付けることを可能にするために前記回転体の外周側部分に円形状に円周方向に等ピッチで配列され、前記羽根部材は前記回転体の孔に取付けられることに基づいて当該孔の円周方向に隣接する両孔のそれぞれを前記羽根部材が取付けられないように前方から覆うものであるところに特徴を有している。
【０００６】
請求項２記載のパチンコ機の風車は、遊技盤の盤面に対して略同一面上に位置するように遊技盤に回転可能に装着されるものであってねじを挿入することが可能な複数のねじ挿入孔を有する回転体と、前記ねじが螺合される筒部を有するものであって当該筒部に前記ねじが螺合されることに基づいて前記回転体に取付けられる羽根部材を備え、前記複数のねじ挿入孔は前記回転体に１個の羽根部材と２個の羽根部材と３個の羽根部材と４個の羽根部材のそれぞれを取付けることを可能にするために前記回転体の外周側部分に円形状に円周方向に等ピッチで配列され、前記羽根部材は前記ねじ挿入孔に取付けられることに基づいて当該ねじ挿入孔の円周方向に隣接する両ねじ挿入孔のそれぞれを前記羽根部材が取付けられないように前方から覆うものであって形状が相互に異なる複数種のものが混用されるところに特徴を有している。
【０００７】
請求項３記載のパチンコ機の風車は、遊技盤の盤面に対して略同一面上に位置するように遊技盤に回転可能に装着されるものであって凸部を圧入することが可能な複数の孔を有する回転体と、前記回転体の複数の孔のそれぞれに圧入される凸部を有するものであって前記回転体の孔に当該凸部が圧入されることに基づいて前記回転体に取付けられる羽根部材を備え、前記複数の孔は前記回転体に１個の羽根部材と２個の羽根部材と３個の羽根部材と４個の羽根部材のそれぞれを取付けることを可能にするために前記回転体の外周側部分に円形状に円周方向に等ピッチで配列され、前記羽根部材は前記回転体の孔に取付けられることに基づいて当該孔の円周方向に隣接する両孔のそれぞれを前記羽根部材が取付けられないように前方から覆うものであって形状が相互に異なる複数種のものが混用されるところに特徴を有している。
【発明の効果】
【０００８】
請求項１〜３のそれぞれに記載のパチンコ機の風車によれば、羽根部材の回転体に対する組付個数，組付位置等を変えるだけで、形状が異なる複数種の風車が形成される。このため、風車の形状を変更するにあたって、成形型を新設し、風車そのものを新たに形成する必要がなくなるので、風車のバリエーションの増加に簡単に対応できる。特に請求項２〜３のそれぞれに記載のパチンコ機の風車によれば、複数種の羽根部材を混用し、複数種の羽根部材の組付個数，組付位置等を変更できるので、風車のバリエーションが大幅に増加する。
【発明を実施するための最良の形態】
【０００９】
【実施例１】
【００１０】
以下、本発明の実施例１を図１ないし図５に基づいて説明する。まず、図２において、枠１は木材を矩形状に組合せてなるものであり、枠１には、下部に位置して下皿２が取付けられ、下皿２の右側に位置して発射レバー３が装着されている。
【００１１】
枠１には遊技盤４が取付けられており、遊技盤４の前面には複数の障害釘（図示せず）が打込まれている。また、遊技盤４の裏側には、図５に示すように、メイン基板５が装着されており、このメイン基板５には、マイクロコンピュータを主体とする制御装置６が実装されている。
【００１２】
発射レバー３の裏側には、図２に示すように、発射モータ７が装着されており、制御装置６は、発射レバー３が矢印イ方向へ回動操作されたことを検出すると、図５のモータ駆動回路７ａを介して発射モータ７を駆動する。また、枠１の裏側には、図２に示すように、発射モータ７の近傍に位置して打球槌８が装着されており、発射モータ７が作動すると、打球槌８が軸８ａを中心に矢印ロ方向へ繰返し回動する。
【００１３】
下皿２と遊技盤４との間には上皿９が装着されている。この上皿９内にはパチンコ球（図示せず）が貯溜されており、打球槌８が矢印ロ方向へ回動すると、パチンコ球が上皿９内から打球槌８により打出される。また、遊技盤４の左側部には外レール１０ａ，内レール１０ｂが装着されており、上皿９内から打出されたパチンコ球は、外レール１０ａ，内レール１０ｂに沿って遊技盤４内の上部に案内される。
【００１４】
遊技盤４の上部には、左右両側部に位置して台板１１，１１がねじ止めされている。これら各台板１１は、透光性を有する合成樹脂により形成されたものであり、図４に示すように、後方へ凹む皿状をなし、各台板１１の中心部には、図３に示すように、後方へ突出するボス部１１ａが一体形成されている。
【００１５】
図４の回転体１２は、透光性を有する合成樹脂により形成されたものであり、前面が閉塞された短円筒状をなしている。この回転体１２の中心部には、図３に示すように、後方へ突出するボス部１２ａが一体形成されており、このボス部１２ａ内には鋼鉄製の回転軸１３の前端部が固定されている。そして、各台板１１のボス部１１ａ内には回転体１２の回転軸１３のうちボス部１２ａ内から後方へ突出する部分が回転可能に挿入されており、各回転体１２は、遊技盤４の前面（盤面）に対して平行にされている。尚、図４の符号１４は、回転軸１３の後端部に装着された抜止め用のＥリングを示している。
【００１６】
図４の羽根部材１５は、透光性を有する合成樹脂を射出成形することから形成されたものであり、円筒状をなす筒部１５ａと、筒部１５ａの前面開口部を閉塞する円形状の板部１５ｂと、筒部１５ａの外周面に位置する２枚の板部１５ｃとから構成されている。
【００１７】
各回転体１２の外周部には、図４に示すように、複数のねじ挿入孔１２ｂが等ピッチで形成されており、図３に示すように、所定のねじ挿入孔１２ｂを通して筒部１５ａの内周面にタッピンねじ１６を締込むことに伴い、各回転板１２に４個の羽根部材１５が９０°ピッチで固定されている。尚、符号１７は、遊技盤４に回転可能に装着された回転体１２と、回転体１２に組付けられた羽根部材１５とから構成される風車を示している。
【００１８】
遊技盤４には、図２に示すように、略中央部に位置して図柄表示装置１８が装着され、図柄表示装置１８の下方に位置して始動口１９が装着されており、始動口１９内にパチンコ球が入賞すると、パチンコ球の入賞タイミングに応じた図柄が図柄表示装置１８に表示される。尚、符号２０および２１は、遊技盤４に装着された風車および入賞口を示している。
【００１９】
各台板１１には、図４に示すように、後方へ突出する２つのボス部１１ｂが一体形成されており、各台板１１には、両ボス部１１ｂの先端部に位置して円形状のランプ基板２２が装着されている。これら各ランプ基板２２は、図３に示すように、ランプ基板２２を通して一方のボス部１１ｂにねじ２３を締込むことに伴い固定されたものであり、各ランプ基板２２には、２個のランプ（バイピンランプ）２４が搭載されている。
【００２０】
各ランプ２４は、図５に示すように、ランプ駆動回路２４ａを介して制御装置６に接続されており、制御装置６は、始動口１９内にパチンコ球が入賞したことを検出すると、ランプ駆動回路２４ａを介して各ランプ２４を点滅させ、各台板１１および風車１７を断続的に照明する。
【００２１】
遊技盤４には、図２に示すように、始動口１９の下方に位置して可動片２５が回動可能に装着されており、図柄表示装置１８に大当り図柄が表示されると、制御装置６は、図５に示すように、ソレノイド駆動回路２６ａを介して電磁ソレノイド２６を励磁させる。すると、可動片２５が回動し、可動片２５により閉塞されていた大入賞口（図示せず）が開放されるので、パチンコ球が大入賞口内に入賞し、入賞個数に応じたパチンコ球が上皿９内に払い出される。
【００２２】
次に上記構成の作用について説明する。発射レバー３の操作に伴い、遊技盤４内にパチンコ球が打出され、羽根部材１５に当ると、羽根部材１５から回転体１２に回転力が作用し、回転体１２が回転軸１３を中心に回動する。このとき、パチンコ球が羽根部材１５に乗って飛ばされたり、羽根部材１５に巻込まれて落下したりするので、パチンコ球の挙動に変化が与えられる。
【００２３】
上記実施例によれば、回転体１２に羽根部材１５を組付けたので、羽根部材１５の回転体１２に対する組付個数，組付位置を変えるだけで、形状が異なる複数種の風車１７が形成される。このため、風車１７の形状を変更するにあたって、成形型を新設し、風車１７そのものを新たに形成する必要がなくなるので、風車１７のバリエーションの増加に簡単に対応できる。これと共に、形状が異なる多数種の風車を管理する煩雑さも解消される。図１の（ｂ）は、風車１７のバリエーションの一例を示すものである。ここで、回転体１２には、所定のねじ挿入孔１２ｂを通して筒部１５ａ内にタッピンねじ１６を締込むことに伴い、２個の羽根部材１５が１８０°ピッチで組付けられている。
【００２４】
また、羽根部材１５をねじ１６により回転体１２に組付けた。このため、羽根部材１５の回転体１２に対する組付強度が向上する上、羽根部材１５がねじ１６により補強されるので、パチンコ球が衝突する際の衝撃で羽根部材１５が回転体１２から脱落したり、羽根部材１５が変形および破損することが防止される。
【実施例２】
【００２５】
次に本発明の実施例２を図６に基づいて説明する。尚、上記実施例１と同一の部材については同一の符号を付して説明を省略し、以下、異なる部材についてのみ説明を行う。羽根部材２７は、透光性を有する合成樹脂をピラミッド形  （四角錐形）に射出成形してなるものであり、回転体１２には、所定のねじ挿入孔１２ｂを通して羽根部材２７の下穴２７ａにタッピンねじ１６を締込むことに伴い、４個の羽根部材２７が等ピッチで組付けられている。
【００２６】
上記実施例によれば、形状が異なる羽根部材１５および２７を選択的に使用できる上、羽根部材２７の回転体１２に対する組付個数，組付位置を変えるだけで、風車１７の形状を変更できる。しかも、形状が異なる羽根部材１５および２７を混用し、羽根部材１５および２７の回転体１２に対する組付個数，組付位置を変えるだけで、風車１７の形状を変更できるので、風車１７のバリエーションが一層増加する。これと共に、形状が異なる羽根部材１５および２７を選択使用したり、混用したりすることに伴い、パチンコ球の挙動を変化させることができる利点もある。
【００２７】
尚、上記実施例１および実施例２においては、羽根部材１５および２７を回転体１２にねじ止めしたが、これに限定されるものではなく、例えば下記（１）〜（３）のようにしても良い。
（１）羽根部材１５および２７を回転体１２に溶着する。
（２）羽根部材１５および２７を回転体１２に接着する。
（３）羽根部材１５および２７に凸部を形成し、この凸部を回転体１２のねじ挿入孔１２ｂ内に圧入する。
【００２８】
また、上記実施例１および実施例２においては、始動口１９内にパチンコ球が入賞した場合にランプ２４を点滅させたが、これに限定されるものではなく、例えば発射レバー３の操作時にランプ２４を点滅させても良い。
【００２９】
また、上記実施例１および実施例２においては、本発明を電飾風車（ランプにより照明される風車）に適用したが、これに限定されるものではなく、通常の風車（ランプにより照明されない風車）に適用しても良い。
【００３０】
上記実施例には特許請求の範囲に記載された発明に加えて次の［その他発明１］および[その発明２]が記載されている。
［その他発明１］
遊技盤に回転可能に装着され遊技盤の盤面に対して略平行な回転体と、この回転体に組付けられた羽根部材とを備えたことを特徴とするパチンコ機の風車。その他発明１によれば、羽根部材の回転体に対する組付個数，組付位置等を変えるだけで、形状が異なる複数種の風車が形成される。このため、風車の形状を変更するにあたって、成形型を新設し、風車そのものを新たに形成する必要がなくなるので、風車のバリエーションの増加に簡単に対応できる。しかも、形状が異なる複数種の羽根部材を形成しておけば、下記（１）および（２）のように、風車のバリエーションが大幅に増加する。
（１）複数種の羽根部材を選択的に使用し、各羽根部材の組付個数，組付位置等を変更する。
（２）複数種の羽根部材を混用し、複数種の羽根部材の組付個数，組付位置等を変更する。
［その他発明２］  
羽根部材が回転体にねじ止めされていることを特徴とするパチンコ機の風車。その他発明２によれば、羽根部材の回転体に対する組付強度が向上する上、羽根部材がねじにより補強されるので、パチンコ球が衝突する際の衝撃で羽根部材が回転体から脱落したり、羽根部材が変形および破損することが防止される。
【図面の簡単な説明】
【００３１】
【図１】本発明の実施例１を示す図（風車のバリエーションを示す正面図）
【図２】パチンコ機の全体構成を示す正面図
【図３】（ａ）は風車を示す正面図、（ｂ）はＸ−Ｘ線に沿う断面図、（ｃ）は風車を示す裏面図
【図４】（ａ）は回転体，羽根部材，台板を示す分解斜視図、（ｂ）は組立斜視図
【図５】電気的構成の概略を示すブロック図
【図６】本発明の実施例２を示す図（ａは羽根部材の組付状態を示す正面図，ｂは回転体，羽根部材，台板を示す組立斜視図）
【符号の説明】
【００３２】
４は遊技盤、１２は回転体、１５は羽根部材、１６はタッピンねじ（ねじ）、１７は風車、２７は羽根部材を示す。
【図１】
2008207040.tif 000003
【図２】
2008207040.tif 000004
【図３】
2008207040.tif 000005
【図４】
2008207040.tif 000006
【図５】
2008207040.tif 000007
【図６】
2008207040.tif 000008